(57)【特許請求の範囲】
【請求項１】
ケーブルが挿通されるカバーケースと、
ケーブルの外周表面に自らの内周が当接する貫通孔と、貫通孔から外周までの半径方向に切断される切断面と、を有し、ケーブルの外周表面の水滴、異物、または、滑剤を貫通孔の入り口で除去する端面ゴムが一個または隣接して複数個配置され、洗浄前のケーブル表面から雨水による水滴、泥など残留する異物、または、残留するケーブル挿入用の滑剤を洗浄前除去する前側除去部と、
前記カバーケース内を移動するケーブルに四方から洗浄水を噴射する４個の洗浄ノズルと、
ケーブルの外周表面に自らの内周が当接する貫通孔と、貫通孔から外周までの半径方向に切断される一の切断面と、を有し、ケーブルの外周表面の水滴、異物、または、滑剤を貫通孔の入り口で除去する端面ゴムが隣接して複数個配置され、かつ、複数の端面ゴムの切断面は互いに交差して下側を向くように配置してなり、前記４個の洗浄ノズルにより洗浄されたケーブル表面から洗浄水による水滴、泥など残留する異物、または、残留するケーブル挿入用の滑剤を除去する後側除去部と、
を備えることを特徴とするケーブル洗浄装置。
【請求項２】
ケーブルが挿通されるカバーケースと、
ケーブルの外周表面に自らの内周が当接する貫通孔と、貫通孔から外周までの半径方向に切断される切断面と、を有し、ケーブルの外周表面の水滴、異物、または、滑剤を貫通孔の入り口で除去する端面ゴムが一個または隣接して複数個配置され、洗浄前のケーブル表面から雨水による水滴、泥など残留する異物、または、残留するケーブル挿入用の滑剤を洗浄前除去する前側除去部と、
前記カバーケース内を移動するケーブルに四方から洗浄水を噴射する４個の洗浄ノズルと、
弾性体により付勢される一対の回動軸と、この一対の回動軸にそれぞれ軸支され二方から前記ケーブルを挟むようになされた一対の吸水ローラと、吸水ローラの半径よりも小さい半径を有するとともに一対の吸水ローラにそれぞれ当接する一対の副ローラと、を有し、ケーブルの外周表面に一対の吸水ローラが前記弾性体の押圧力により挟み込んだ状態で当接し、前記４個の洗浄ノズルにより洗浄されたケーブル表面から洗浄水による水滴、泥など残留する異物、または、残留するケーブル挿入用の滑剤を除去し、さらに一対の副ローラが吸水性を有する材料で構成されて一対の吸水ローラから洗浄水を直接吸水するか、または、吸収性を有しない材料で構成されて一対の吸水ローラを押圧して洗浄水を押し出しながら脱水し、一対の吸水ローラの吸水能力を維持するようになされた、一または複数の後側除去部と、
を備えることを特徴とするケーブル洗浄装置。
【請求項３】
請求項２に記載のケーブル洗浄装置において、
ケーブルや吸水ローラの濡れを防止するために副ローラから飛散する洗浄水を遮断するガイドを備えることを特徴とするケーブル洗浄装置。
【請求項４】
ケーブルが挿通されるカバーケースと、
ケーブルの外周表面に内周が当接する貫通孔と、貫通孔から外周までの半径方向に切断される切断面と、を有し、ケーブルの外周表面の水滴、異物、または、滑剤を貫通孔の入り口で除去する端面ゴムが一個または隣接して複数個配置され、洗浄前のケーブル表面から雨水による水滴、泥など残留する異物、または、残留するケーブル挿入用の滑剤を洗浄前除去する前側除去部と、
前記カバーケース内を移動するケーブルに四方から洗浄水を噴射する４個の洗浄ノズルと、
二方から前記ケーブルを挟むようになされた一対の吸水ベルトと、吸水ベルトを張り渡すとともに吸水ベルトの動きに従動する従車と、吸水ベルトの動きに従動するとともに吸水ベルトを挟み込んで脱水を行う副ローラと、を有し、ケーブルの外周表面に一対の吸水ベルトが当接し、前記４個の洗浄ノズルにより洗浄されたケーブル表面から洗浄水による水滴、泥など残留する異物、または、残留するケーブル挿入用の滑剤を除去する一または複数の後側除去部と、
を備えることを特徴とするケーブル洗浄装置。
【請求項５】
請求項１〜請求項４の何れか一項に記載のケーブル洗浄装置において、
前記一個または複数個の端面ゴムによる前側除去部に代えて、
ケーブルの外周表面に当接するブラシ状部材であって、移動するケーブルの外周表面の水滴、異物、または、滑剤を掃き取って除去するブラシ状部材による前側除去部を配置したことを特徴とするケーブル洗浄装置。
【発明の詳細な説明】
【０００１】
【発明の属する技術分野】
本発明は、洗浄水を噴射してケーブルに付着する水滴、異物、または、滑剤を除去するケーブル洗浄装置に関する。
【０００２】
【従来の技術】
長距離にわたってケーブルを敷設する場合、一般に、ケーブル送り装置を用いてケーブルを延線・敷設する。このようなケーブル敷設作業は、屋外や地中管路内という場所で行われる。屋外では、雨水などの水滴や泥、砂、土、塵埃などの異物がケーブルに付着することが多く、また、地中管路内でも、外部から侵入して堆積した泥などの異物、この泥にできる水たまりによる水滴、または地中管路内のケーブル挿入用の滑剤などがケーブルに付着することが多い。
【０００３】
従来は、このような異物・水滴・滑剤をぬれ雑巾・タオル・ウェスなどを用いて人力で拭き取っていた。
また、拭き取りにも拘わらずケーブルに残留した異物・水滴・滑剤のため、例えば、ケーブルに接触して送り駆動するゴム車輪状の送り部が異物による摩耗または水滴・滑剤による浸食で劣化する事態や、ケーブル送り用の歯車機構が異物が歯車に噛むことによる損傷または水滴・滑剤による錆びで劣化する事態などが発生していた。劣悪な環境下で使われることが多いケーブル送り装置の早期劣化を防止する必要があった。
【０００４】
このため、洗浄水でケーブルを洗浄してこれら異物・水滴・滑剤を除去したのちにケーブル送り装置を用いてケーブルを送ることが考えられる。しかし、洗浄水で濡れたケーブルを送ると、ケーブルに接触するゴム車輪状の送り部とケーブルとが滑ってケーブル送りができない事態や、洗浄水によりゴム車輪状の送り部が浸食劣化する事態や、また、ケーブル送り装置の歯車機構などが洗浄水により錆びて劣化が早まるという事態を引き起こすと予想される。このような洗浄水や雨水による水滴、泥など残留する異物、残留するケーブル挿入用滑剤を確実に除去し、後段のケーブル送り装置の劣化を回避したいという要請があった。
【０００５】
【発明が解決しようとする課題】
本発明は上記課題を解決するためになされたものであり、洗浄水を噴射してケーブルを洗浄し、洗浄水による水滴、泥など残留する異物、または、残留するケーブル挿入用の滑剤をケーブルから確実に除去し、ケーブル送り装置の劣化を防止するケーブル洗浄装置を提供することを目的とする。
【０００６】
【課題を解決するための手段】
上述の課題を解決するため、請求項１に記載のケーブル洗浄装置は、
ケーブルが挿通されるカバーケースと、
ケーブルの外周表面に自らの内周が当接する貫通孔と、貫通孔から外周までの半径方向に切断される一の切断面と、を有し、ケーブルの外周表面の水滴、異物、または、滑剤を貫通孔の入り口で除去する端面ゴムが一個または隣接して複数個配置され、洗浄前のケーブル表面から雨水による水滴、泥など残留する異物、または、残留するケーブル挿入用の滑剤を洗浄前除去する前側除去部と、
前記カバーケース内を移動するケーブルに四方から洗浄水を噴射する４個の洗浄ノズルと、
ケーブルの外周表面に自らの内周が当接する貫通孔と、貫通孔から外周までの半径方向に切断される切断面と、を有し、ケーブルの外周表面の水滴、異物、または、滑剤を貫通孔の入り口で除去する端面ゴムが隣接して複数個配置され、かつ、複数の端面ゴムの切断面は互いに交差して下側を向くように配置してなり、前記４個の洗浄ノズルにより洗浄されたケーブル表面から洗浄水による水滴、泥など残留する異物、または、残留するケーブル挿入用の滑剤を除去する後側除去部と、
を備えることを特徴とする。
【０００７】
また、請求項２に記載のケーブル洗浄装置は、
ケーブルが挿通されるカバーケースと、
ケーブルの外周表面に自らの内周が当接する貫通孔と、貫通孔から外周までの半径方向に切断される切断面と、を有し、ケーブルの外周表面の水滴、異物、または、滑剤を貫通孔の入り口で除去する端面ゴムが一個または隣接して複数個配置され、洗浄前のケーブル表面から雨水による水滴、泥など残留する異物、または、残留するケーブル挿入用の滑剤を洗浄前除去する前側除去部と、
前記カバーケース内を移動するケーブルに四方から洗浄水を噴射する４個の洗浄ノズルと、
弾性体により付勢される一対の回動軸と、この一対の回動軸にそれぞれ軸支され二方から前記ケーブルを挟むようになされた一対の吸水ローラと、吸水ローラの半径よりも小さい半径を有するとともに一対の吸水ローラにそれぞれ当接する一対の副ローラと、を有し、ケーブルの外周表面に一対の吸水ローラが前記弾性体の押圧力により挟み込んだ状態で当接し、前記４個の洗浄ノズルにより洗浄されたケーブル表面から洗浄水による水滴、泥など残留する異物、または、残留するケーブル挿入用の滑剤を除去し、さらに一対の副ローラが吸水性を有する材料で構成されて一対の吸水ローラから洗浄水を直接吸水するか、または、吸収性を有しない材料で構成されて一対の吸水ローラを押圧して洗浄水を押し出しながら脱水し、一対の吸水ローラの吸水能力を維持するようになされた、一または複数の後側除去部と、
を備えることを特徴とする。
【０００８】
また、請求項３に記載のケーブル洗浄装置は、
請求項２に記載のケーブル洗浄装置において、
ケーブルや吸水ローラの濡れを防止するために副ローラから飛散する洗浄水を遮断するガイドを備えることを特徴とする。
【０００９】
また、請求項４に記載のケーブル洗浄装置は、
ケーブルが挿通されるカバーケースと、
ケーブルの外周表面に内周が当接する貫通孔と、貫通孔から外周までの半径方向に切断される切断面と、を有し、ケーブルの外周表面の水滴、異物、または、滑剤を貫通孔の入り口で除去する端面ゴムが一個または隣接して複数個配置され、洗浄前のケーブル表面から雨水による水滴、泥など残留する異物、または、残留するケーブル挿入用の滑剤を洗浄前除去する前側除去部と、
前記カバーケース内を移動するケーブルに四方から洗浄水を噴射する４個の洗浄ノズルと、
二方から前記ケーブルを挟むようになされた一対の吸水ベルトと、吸水ベルトを張り渡すとともに吸水ベルトの動きに従動する従車と、吸水ベルトの動きに従動するとともに吸水ベルトを挟み込んで脱水を行う副ローラと、を有し、ケーブルの外周表面に一対の吸水ベルトが当接し、前記４個の洗浄ノズルにより洗浄されたケーブル表面から洗浄水による水滴、泥など残留する異物、または、残留するケーブル挿入用の滑剤を除去する一または複数の後側除去部と、
を備えることを特徴とする。
【００１０】
また、請求項５に記載のケーブル洗浄装置は、
請求項１〜請求項４の何れか一項に記載のケーブル洗浄装置において、
前記一個または複数個の端面ゴムによる前側除去部に代えて、
ケーブルの外周表面に当接するブラシ状部材であって、移動するケーブルの外周表面の水滴、異物、または、滑剤を掃き取って除去するブラシ状部材による前側除去部を配置したことを特徴とする。
【００１２】
【発明の実施の形態】
まず、本発明の第１実施形態のケーブル洗浄装置について説明する。
図１は、第１実施形態のケーブル洗浄装置のＡ−Ａ線断面図、図２は、同じく洗浄ノズルを説明するＢ−Ｂ線断面図、図３は端面ゴムの説明図である。以下、図１〜図３を用いて本発明の第１実施形態のケーブル洗浄装置について説明する。
【００１３】
本実施形態のケーブル洗浄装置のカバーケース１は、図１に示すように、ケーブル２を挿通可能とするように構成されている。このカバーケース１には誘導隔壁１ａ，１ｂが設けられている。これら誘導隔壁１ａ，１ｂは、ケーブル２を挿通したときにケーブル２を孔部へ誘導してケーブル２の挿通を容易にするとともに中空部３と外部とを隔てる隔壁にもなる。なお、中空部３内には図示しないケーブル誘導部も備え、ケーブル２がカバーケース１内の所定位置を通過するようになされている。
【００１４】
図２でも示すように、中空部３の中には洗浄ノズル４ａ，４ｂ，４ｃ，４ｄが設けられている。この洗浄ノズル４ａ，４ｂ，４ｃ，４ｄはホースを介してそれぞれ分流器５に連結されている。この分流器５は、ホースを介して圧縮ポンプ６に連結され、圧縮ポンプ６はタンク７に連結されている。これら、タンク７から洗浄ノズル４ａ，４ｂ，４ｃ，４ｄまでは洗浄水の流路が形成されている。
【００１５】
カバーケース１の誘導隔壁１ａ側には前側除去部の一例の端面部材の一具体例である端面ゴム８ａが、また、誘導隔壁１ｂ側には後側除去部の一具体例である端面ゴム８ｂ，８ｃ，８ｄが取り付けられている。端面ゴム８ａ，８ｂ，８ｃ，８ｄは耐水力・耐候性・耐薬性があるゴムなどを利用して形成されており、水やケーブル挿入用の滑剤に対し耐食性があり、劣化しないようになされている。端面ゴム８ａ〜８ｄは、図３（ａ），（ｂ）で示すように略糸巻き形状であって、貫通孔８ｅと切断面８ｆとが設けられている。端面ゴム８ａ〜８ｄの貫通孔８ｅにケーブル２を挿通させるとき、単に貫通孔８ｅにケーブル２を挿入しても良く、また、切断面８ｆに指をいれて端面ゴム８ａ〜８ｄを開くように変形させた状態で挿入しても良い。
【００１６】
なお、端面ゴム８ｂ，８ｃ，８ｄを配置するときには配置を工夫する。図３（ｃ）は、端面ゴム８ｂ，８ｃ，８ｄを誘導隔壁１ｂ側から眺めたものであるが、３個の切断面８ｆは常に交差し、かつ、下側を向くように配置される。切断面８ｆ近傍では切断個所がケーブル２に当接しないため、ケーブル２に水滴が残留する傾向があったが、切断面が交差するよう複数個の端面ゴム８ｂ，８ｃ，８ｄを配置したため、ある端面ゴムで残留した水滴を他の端面ゴムで確実に除去する。
【００１７】
続いて、ケーブル２の洗浄動作について説明する。洗浄動作を開始する前に、カバーケース１にケーブル２を挿通させて図１に示すような状態とする。ケーブル２の誘導隔壁１ｂ側の後方には図示しないケーブル送り装置が設置され、洗浄済みのケーブルを用いてケーブル送りを行うようになされている。ケーブル洗浄動作を開始するとき、このケーブル送り装置のケーブル送り動作と圧縮ポンプ６による洗浄水供給動作とを共に開始する。
まず、端面ゴム８ａはケーブル２の表面に常に当接して、水たまりなどの汚水や雨水である水滴やケーブル２に強固に付着している泥・砂利等の異物、残留するケーブル挿入用の滑剤の大半を予め除去する機能を有している。
【００１８】
圧縮ポンプ６は、タンク７から供給される洗浄水を高圧圧縮し、高圧圧縮した洗浄水を分流器５に供給する。分流器５は、４個の洗浄ノズル４ａ，４ｂ，４ｃ，４ｄそれぞれに洗浄水を分流供給し、４個の洗浄ノズル４ａ，４ｂ，４ｃ，４ｄは、高圧圧縮された洗浄水をケーブル２へ噴射する。ケーブル２に付着する雨水・異物・滑剤などは、四方から噴射される洗浄水により取り除かれる。
ケーブル２の雨水・異物・滑剤を取り除く際に洗浄水が飛散するが、上記のカバーケース１、誘導隔壁１ａ，１ｂ、端面ゴム８ａ，８ｂにより洗浄水の飛散は遮断される。
【００１９】
なお、先に説明したように後段の端面ゴム８ｂ，８ｃ，８ｄによっても洗浄水・残留する異物・残留する滑剤などを取り除くことができるが、洗浄水のみ除去するようにしたいため異物や滑剤を確実に除去して残留させないことが望ましい。これは、端面ゴム８ｂ，８ｃ，８ｄに特に泥などの異物が貫通孔８ｆ内に入り込んだりすると、端面ゴム８ｂ，８ｃ，８ｄがケーブル２の外周に当接しなくなって洗浄水を除去する能力が低減するおそれがあるためである。したがって、噴射する洗浄水の圧力は、充分高圧となるように設定して異物や滑剤の残留を確実に防止する。このため、端面ゴム８ｂ，８ｃ，８ｄの除去能力が低下する恐れを確実に低減している。
【００２０】
洗浄水が噴射されて異物・滑剤が確実に除去されたケーブル２は、図１の矢印ａで示すケーブル送り移動方向へ順次送られて、端面ゴム８ｂ，８ｃ，８ｄ内を通過し、洗浄水を確実に除去する。端面ゴム８ｂ，８ｃ，８ｄは、図１・図３で示すようにケーブル２の外周面に当接しており、洗浄水が残ることはない。
【００２１】
端面ゴム８ｂ，８ｃ，８ｄにより除去された洗浄水は、図３（ｃ）で示すように、切断面８ｆを通過して下方へ水滴として垂れる。この水滴は、図示しない排水口から排水される。この場合、端面ゴム８ｂ，８ｃ，８ｄの切断面は交差するように配置されているため、ケーブル２の全ての外周に端面ゴムが確実に当接して、ケーブル２の全表面の洗浄水が確実に除去される。このようにして洗浄水などの水滴・異物・滑剤は全て取り除かれる。第１実施形態はこのように構成される。
【００２２】
なお、本実施形態において、誘導隔壁１ａ側に１個の端面ゴム８ａのみが配置されるとして説明したが、端面ゴム８ａがないような場合でもケーブルの洗浄は可能であり、また、誘導隔壁１ａ側に複数個の端面ゴムを配置して水滴・異物・滑剤など大半を予め除去することで洗浄能力をより高めても良い。
また、端面ゴム８ａの貫通孔８ｆの孔径をケーブル２の外径よりも大きくし、端面ゴム８ａに飛散する洗浄水が外部へ漏らさない機能のみを持たせるようにしても良い。これら構成は適宜設計・選択される。
【００２３】
続いて本発明の第２実施形態のケーブル洗浄装置について説明する。図４は、第２実施形態のケーブル洗浄装置のＣ−Ｃ線断面図、図５は、同じく吸水ローラを説明する説明図である。以下、図４，図５を用いて本発明の第２実施形態のケーブル洗浄装置について説明する。
【００２４】
第２実施形態では、後段除去部として端面ゴムの代わりに吸水ローラを用いて特に洗浄水などの水滴を吸水・除去する。なお、第１実施形態と共通する構成は説明を簡単にする。
本実施形態のケーブル洗浄装置のカバーケース１は、図４に示すように、ケーブル２を挿通可能とするように構成されている。このカバーケース１の中空部３の中には洗浄ノズル４ａ，４ｂ，４ｃ，４ｄが設けられている。洗浄ノズル４ａ，４ｂ，４ｃ，４ｄ、分流器５、圧縮ポンプ６、タンク７により洗浄水の流路が形成されている。
【００２５】
カバーケース１の誘導隔壁１ｂに隣接して吸水ローラ９ａ，９ｂが回動自在となるように設けられている。図示しないが吸水ローラ９ａ，９ｂには回動軸が取り付けられ、この回動軸は、バネやゴムなど弾性体を介して取り付けられる。この弾性体が付勢する力により、吸水ローラ９ａ，９ｂは、ケーブル２に常に接しながら挟み込み、水滴はもちろんのこと、残留する異物または残留する滑剤も取り除く。
【００２６】
続いて、ケーブル２の洗浄動作について説明する。４個の洗浄ノズル４ａ，４ｂ，４ｃ，４ｄは、高圧圧縮された洗浄水をケーブル２へ噴射する。ケーブル２の雨水・異物・滑剤は、四方から噴射される洗浄水により取り除かれる。
ケーブル２の雨水・異物・滑剤を取り除く際に洗浄水が飛散するが、上記のカバーケース１、誘導隔壁１ａ，１ｂにより洗浄水の飛散は遮断される。
【００２７】
なお、洗浄後に吸水ローラ９ａ，９ｂによっても異物・滑剤を取り除くことができるが、洗浄水により全ての異物・滑剤を除去し、異物・滑剤を残留させないことが望ましい。これは、吸水ローラ９ａ，９ｂに異物・滑剤が付着すると、吸水ローラ９ａ，９ｂがケーブル２から洗浄水を吸水する途中にこの異物・滑剤が再度ケーブル２に付着するおそれがあるためである。したがって、噴射する洗浄水の圧力は、充分高圧となるように設定する。
【００２８】
洗浄水が噴射されて異物・滑剤が除去されたケーブル２は、図４の矢印ａで示すケーブル送り移動方向へ順次送られていく。２個の吸水ローラ９ａ，９ｂは、図４，図５示すように左右からケーブル２を挟みながら回転する。吸水ローラ９ａ，９ｂは、布、スポンジ、または、フェルトというような材料を利用して構成されており、良好な水分吸収力を有している。これら吸水ローラ９ａ，９ｂは、ケーブル送り方向へ移動するケーブルに従動して回転しながら洗浄水を吸水する。
【００２９】
吸水ローラ９ａ，９ｂは、ケーブル送りが進むにつれ洗浄水の含有量を増していき、含有量が限界を越えた場合は図５でも示すように下方へ水滴が垂れるようになる。この水滴は、カバーケース１に設けられた排水口１ｃから排水される。このようにすることでケーブルから水滴・異物・滑剤は取り除かれる。第２実施形態はこのように構成される。
【００３０】
なお、本実施形態において、吸水ローラ９ａ，９ｂは、全てが吸水体であっても良く、また、図示しないものの、吸水ローラ９ａ，９ｂは金属やプラスティックなど吸水性を有しない回動体を回動軸に回動自在となるように設け、この回動体の周りに吸水体を取り付ける構成としてもよい。
【００３１】
また、図示しないものの吸水ローラ９ａ，９ｂの後段に他の１組の吸水ローラを設けて、吸水力を高めるようにしても良い。さらに、図４，図５の吸水ローラ９ａ，９ｂが縦方向に配置されているのに対し、図示しない他の１組の吸水ローラは左右方向に配置されて、上下左右からケーブル２を拭って吸水しても良い。これらのような構成は適宜設計・選択される。
【００３２】
続いて、本発明の第３実施形態のケーブル洗浄装置について説明する。
図６は、第３実施形態のケーブル洗浄装置の後側除去部を説明する説明図である。以下、図６を用いて第３実施形態のケーブル洗浄装置について説明する。先に説明した第２実施形態の後側除去部は、吸水ローラ９ａ，９ｂの洗浄水の含有量が限界に達したときに自然に水滴が垂れるようにしていたが、本実施形態の後側除去部は、吸水ローラ９ａ，９ｂに含まれる洗浄水を取り除いて吸水ローラ９ａ，９ｂが常に吸水力を有するようにし、ケーブル２から洗浄水を確実に吸水するようにしたものである。
【００３３】
本実施形態では、図６に示すように、吸水ローラ９ａ，９ｂに従動する副ローラ１０ａ，１０ｂを設けている。副ローラ１０ａ，１０ｂは各種の構成が可能であり、例えば、布、スポンジ、または、フェルトという吸水性を有する材料で構成して吸水ローラ９ａ，９ｂから洗浄水を直接吸水しても良い。また、副ローラ１０ａ，１０ｂは金属・プラスチックというように吸収性を有しない材料で構成し、吸水ローラ９ａ，９ｂを押圧して洗浄水を押し出しながら脱水するようにしても良い。
なお、第２実施形態でも説明したように、後側除去部をケーブル送り方向を基準として隣接する位置に複数段設けても良い。
【００３４】
続いて、本発明の第４実施形態のケーブル洗浄装置について説明する。
図７は、第４実施形態のケーブル洗浄装置の後側除去部を説明する説明図である。以下、図７を用いて第４実施形態のケーブル洗浄装置について説明する。本実施形態の後側除去部は、先に説明した第３実施形態の後側除去部である吸水ローラ９ａ，９ｂと副ローラ１０ａ，１０ｂとに加えてガイド１１ａ，１１ｂを備えるものである。吸水ローラ９ａ，９ｂの径は副ローラ１０ａ，１０ｂよりも大きいため、吸水ローラ９ａ，９ｂの回転速度と比較しても、副ローラ１０ａ，１０ｂは高速回転する。このため、副ローラ１０ａ，１０ｂの洗浄水が再び飛散し、ケーブル２や吸水ローラ９ａ，９が濡れる事態が予想される。
【００３５】
そこで、副ローラ１０ａ，１０ｂから飛散する洗浄水をガイド１１ａ，１１ｂが遮断し、ケーブル２や吸水ローラ９ａ，９が濡れる事態を防止する。
なお、副ローラ１０ａ，１０ｂは、第３実施形態のように吸水性を有する材料で構成して直接吸水しても良く、また、金属・プラスチックというように吸収性を有しない材料で構成して吸水ローラ９ａ，９ｂを押圧して水を拭い去るようにしても良い。さらに、第２実施形態でも説明したように、後側除去部をケーブル送り方向の隣接する位置に複数段設けても良い。
【００３６】
続いて、本発明の第５実施形態のケーブル洗浄装置について説明する。
図８は、第５実施形態のケーブル洗浄装置の後側除去部を説明する説明図である。以下、図８を用いて第５実施形態のケーブル洗浄装置について説明する。第５実施形態の後側除去部では、吸水ローラ９ａ，９ｂの代わりに吸水性を有する材料で構成した吸水ベルトを用いて、ケーブル２から洗浄水をより確実に吸水するようにしたものである。
【００３７】
図８に示すように、本実施形態の後側除去部は、吸水ベルト１２ａ，１２ｂと、これら吸水ベルト１２ａ，１２ｂの動きに従動する従車１３ａ，１３ｂと、吸水ベルト１２ａ，１２ｂの動きに従動するとともに吸水ベルト１２ａ，１２ｂを挟み込んで脱水を行う副ローラ１４ａ，１４ｂとを設けた。
【００３８】
吸水ベルト１２ａ，１２ｂは、例えば、布、スポンジ、または、フェルトというような吸水性を有する材料で直接ベルト状に構成したり、また、革、織物、ゴムなどで作られた平ベルト、Ｖベルト、タイミングベルトなどのベルトの外側（従車１３ａ，１３ｂと接しない側）に布、スポンジ、または、フェルトというような吸水性を有する材料で作られた吸水体を張り合わせて構成したりする。これらは設計事項であり適宜選択できる。
【００３９】
このような吸水ベルト１２ａ，１２ｂは、回動自在となるように従車１３ａ，１３ｂに掛けられており、吸水ベルト１２ａ，１２ｂおよび従車１３ａ，１３ｂは、ケーブル２のケーブル送り方向への移動に伴い従動して回転する。
【００４０】
副ローラ１４ａ，１４ｂは、例えば、布、スポンジ、または、フェルトというような吸水性を有する材料で構成して吸水ベルト１２ａ，１２ｂから洗浄水を吸水するようにしても良い。
また、副ローラ１４ａ，１４ｂは、金属・プラスチックというように吸収性を有しない材料で構成するとともに吸水ベルト１２ａ，１２ｂを挟み込んで押圧して洗浄水を脱水するようにしても良い。
【００４１】
なお、これら副ローラ１４ａ，１４ｂは、例えば図示しないバネ・ゴムなどの弾性体によりケーブル２側へ押圧するように構成されており、ベルトに張りを与える機能も併せて備えるようにしても良い。
さらに、吸水ベルト１２ａ，１２ｂを備える後側除去部を複数個設けて、ケーブル２から確実に吸水するようにしても良い。
【００４２】
続いて、本発明の第６実施形態のケーブル洗浄装置について説明する。
図９は、第６実施形態のケーブル洗浄装置の後側除去部を説明する説明図である。以下、図９を用いて第６実施形態のケーブル洗浄装置について説明する。なお、ガイド１７ａ，１７ｂは特に点線で図示し吸水ローラ１５ａ，１６ａを見やすく表示している。第６実施形態の後側除去部では、吸水ローラ１５ａと吸水ローラ１６ａとを、また、吸水ローラ１５ｂと吸水ローラ１６ｂとを交互に用いてケーブル２から洗浄水をより確実に吸水するようにしたものである。
【００４３】
図９（ａ）に示すように、本実施形態の後側除去部は、吸水ローラ１５ａ，１５ｂ，１６ａ，１６ｂを備えている。吸水ローラ１５ａ，１５ｂ，１６ａ，１６ｂは、それぞれ図示しないモータが取り付けられ、高速回転するようになされている。これら吸水ローラ１５ａがケーブル２に接するとき吸水ローラ１６ａはケーブル２から離れ、また、吸水ローラ１６ａがケーブル２に接するとき吸水ローラ１５ａはケーブル２から離れるように構成されている。
同様に、 吸水ローラ１５ｂがケーブル２に接するとき吸水ローラ１６ｂはケーブル２から離れ、また、吸水ローラ１６ｂがケーブル２に接するとき吸水ローラ１５ｂはケーブル２から離れるように構成されている。
【００４４】
また、吸水ローラ１５ａ，１６ａ，１５ｂ，１６ｂを覆うように構成されるガイド１７ａ，１７ｂ，１７ｃ，１７ｄを備えており、ケーブル２から吸水ローラ１５ａ，１６ａ，１５ｂ，１６ｂが離れるときにケーブル２を覆うようになされている。ガイド１７ａとガイド１７ｂは交互に移動し、また、ガイド１７ｃとガイド１７ｄは交互に移動する。
【００４５】
続いて吸水動作について説明する。
ケーブル２に接する吸水ローラはケーブル２から吸水するが、その一方で、ケーブル２から離れた吸水ローラは、図示しないモータにより高速回転して吸水した洗浄水を脱水する。この場合ガイドが吸水ローラを覆っており、高速回転により飛散する洗浄水でケーブル２が濡れる事態を防止する。このように一方の吸水ローラが吸水し、かつ、他方の吸水ローラを脱水する動作は、吸水ローラ１５ａと吸水ローラ１６ａとで、また、吸水ローラ１５ｂと吸水ローラ１６ｂとで交互に行われる。
【００４６】
このように第２実施形態〜第６実施形態では、前側除去部を設けないケーブル洗浄装置について説明したが、第１実施形態で説明したような端面ゴム８ａを配置しても良い。このような構成は適宜設計・選択される。
【００４７】
さらに、第１実施形態〜第６実施形態で配置する前側除去部として端面ゴムの代わりにブラシ状部材を配置してもよい。ブラシ状部材の一例として、図１０に示すようなブラシ１８ａ，１８ｂ，１８ｃ，１８ｄを配置し、このブラシ１８ａ，１８ｂ，１８ｃ，１８ｄがケーブル２の表面の水滴、異物、または、滑剤を掃き取るようにしても良い。
また、第１実施形態〜第６実施形態で配置する前側除去部として端面ゴムの代わりに、ブラシ状部材の一例として図１１に示すような、例えばドーナツ状に植毛された円還状ブラシ１９を配置し、この円還状ブラシ１９がケーブル２の表面の水滴、異物、または、滑剤を掃き取るようにしても良い。
【００４８】
端面ゴム８ａでは、内周円の中に異物が侵入したときケーブルの洗浄能力を落とすおそれがあったが、図１０のブラシ１８ａ，１８ｂ，１８ｃ，１８ｄや図１１の円還状ブラシ１９ならばそのような事態は回避され、付着する異物を掻き落とし、後の洗浄で確実に異物・滑剤を洗浄するため、端面ゴム８ａと同様にケーブル洗浄装置の洗浄能力を高めることができる。
なお、図１０の矢印で示すようにブラシ１８ａ，１８ｂ，１８ｃ，１８ｄが回転したり、また、図１１の矢印で示すように円還状ブラシ１９が回転してケーブル２の全表面に確実に当接するように構成しても良い。これらブラシ１８ａ，１８ｂ，１８ｃ，１８ｄや円還状ブラシ１９の回動は操作者による手動式・モータ等を用いる機械式を選択が可能である。
【００４９】
また、本実施形態では前段除去部・洗浄ノズル・後段除去部は、同じカバーケースに一体に設けられているとして説明したが、例えば、前段除去部が設けられたカバーケース・洗浄ノズルが設けられるカバーケース・後段除去部が設けられるカバーケースを別々に設けて分離・結合するケーブル洗浄装置としても良い。このような組み合わせは適宜可能であり、例えば、前段除去部と洗浄ノズルとが設けられたカバーケースと後段除去部が設けられるカバーケースとしても良い。このように所望の組み合わせ形態を選択することができる。
【００５０】
【発明の効果】
以上、本発明によれば、洗浄水を噴射してケーブルを洗浄し、洗浄水による水滴、泥など残留する異物、残留するケーブル挿入用の滑剤などをケーブルから確実に除去し、ケーブル送り装置の劣化を防止するケーブル洗浄装置を提供することができる。
【図面の簡単な説明】
【図１】本発明の第１実施形態のケーブル洗浄装置のＡ−Ａ線断面図である。
【図２】本発明の第１実施形態のケーブル洗浄装置の洗浄ノズルを説明するＢ−Ｂ線断面図である。
【図３】本発明の第１実施形態のケーブル洗浄装置の端面ゴムを説明する説明図である。
【図４】本発明の第２実施形態のケーブル洗浄装置のＣ−Ｃ線断面図である。
【図５】本発明の第２実施形態のケーブル洗浄装置の後側除去部を説明する説明図である。
【図６】本発明の第３実施形態のケーブル洗浄装置の後側除去部を説明する説明図である。
【図７】本発明の第４実施形態のケーブル洗浄装置の後側除去部を説明する説明図である。
【図８】本発明の第５実施形態のケーブル洗浄装置の後側除去部を説明する説明図である。
【図９】本発明の第６実施形態のケーブル洗浄装置の後側除去部を説明する説明図である。
【図１０】本発明のケーブル洗浄装置の前側除去部を説明する説明図である。
【図１１】本発明のケーブル洗浄装置の前側除去部を説明する説明図である。
【符号の説明】
１                                カバーケース
１ａ，１ｂ                        誘導隔壁
２                                ケーブル
３                                中空部
４ａ，４ｂ，４ｃ，４ｄ            洗浄ノズル
５                                分流器
６                                圧縮ポンプ
７                                タンク
８ａ，８ｂ，８ｃ，８ｄ            端面ゴム
９ａ，９ｂ                        吸水ローラ
１０ａ，１０ｂ                    副ローラ
１１ａ，１１ｂ                    ガイド
１２ａ，１２ｂ                    吸水ベルト
１３ａ，１３ｂ                    従車
１４ａ，１４ｂ                    副ローラ
１５ａ，１５ｂ                    吸水ローラ
１６ａ，１６ｂ                    吸水ローラ
１７ａ，１７ｂ，１７ｃ，１７ｄ    ガイド
１８ａ，１８ｂ，１８ｃ，１８ｄ    ブラシ
１９                              円還状ブラシ
【図１】
0004471419.tif 000002
【図２】
0004471419.tif 000003
【図３】
0004471419.tif 000004
【図４】
0004471419.tif 000005
【図５】
0004471419.tif 000006
【図６】
0004471419.tif 000007
【図７】
0004471419.tif 000008
【図８】
0004471419.tif 000009
【図９】
0004471419.tif 000010
【図１０】
0004471419.tif 000011
【図１１】
0004471419.tif 000012